(57)【要約】      （修正有）【課題】通常は装飾品として使用し、地震などの振動を感知すると、本体正面に取付けてある正面照明用ＬＥＤが点灯する構造を有する電子装飾品を提供する。【解決手段】筒状本体の底面に底面照明用ＬＥＤ９と本体正面の上面にも正面照明用ＬＥＤ１０を備え、底面照明用ＬＥＤ９は本体を持ち上げたり、転倒した場合、転倒スイッチ７がオンして点灯する。本体の正面上部の正面照明用ＬＥＤ１０は、振動センサー５が振動を検知した、振動センサー切換えスイッチ６により振動センサー５の電源はオンし点灯する。【選択図】図６
0003151804.tif 000002
【実用新案登録請求の範囲】
【請求項１】
装飾品本体に装飾品の前面に正面照明用ＬＥＤと、本体に振動センサーを設け、この正面照明用ＬＥＤと振動センサーを直列に接続し、振動センサーが地震などによる揺れを検知すると、振動センサーがオンし、正面照明用ＬＥＤをオンさせることを特徴とする電子装飾品。
【請求項２】
前記装飾品本体の正面照明用ＬＥＤとは別に、本体底面にも底面照明用ＬＥＤを設け、この底面照明用ＬＥＤと、転倒スイッチを直列に接続し、本体が転倒したとき、あるいは、手で持ったときに転倒スイッチがオンすることで底面照明用ＬＥＤをオンすることを特徴とする請求項１に記載の電子装飾品。
【請求項３】
前記装飾品本体に写真たてを引っ掛けられるように構成し、また懐中電灯として使用する場合は写真たてを簡単に取外すことができることを特徴とする請求項１または請求項２に記載の電子装飾品。
【考案の詳細な説明】
【技術分野】
【０００１】
本考案は、花瓶等の装飾品に振動用センサーにより点灯する照明装置と、懐中電灯機能を備え、写真たてを装着できる電子装飾品に関するものである。
【背景技術】
【０００２】
通常、花瓶などの装飾品には照明装置などが設けておらず、装飾としてのみ利用されているため、夜間の災害時や停電に備え懐中電灯などの照明器具を別途備えておく必要がある。
【０００３】
例えば、特許文献１に記載のように、植木鉢の中に電球を設け、装飾的な機能を持たせた植木鉢が提案されている。
【０００４】
また、特許文献２に記載のように、本体を持ち上げたときや、本体が転倒したときに照明用ＬＥＤが点灯する眼鏡立てが提案されている。
【先行技術文献】
【特許文献】
【０００５】
【特許文献１】特開平１１−３１８２１８号
【特許文献２】実新案３０９７２６３号
【考案の概要】
【考案が解決しようとする課題】
【０００６】
しかし、上記何れの提案も電源が交流の商用電源であったり、本体を持ち上げたり、本体が転倒したときにＬＥＤ（発光ダイオード）を点灯するものであるが、停電時には照明装置としては機能しなかったり、弱い地震などではＬＥＤが点灯しなかったり、夜間では容易に光源の場所がわからないなどの問題点がある。
【０００７】
本考案は上記問題点を解消し、花瓶などの装飾品を装飾として使用するだけでなく、照明装置を設けることにより、停電時や地震などの災害時の簡易照明にも使用できることを目的とする。
【課題を解決するための手段】
【０００８】
上記の課題を達成するために、本考案の電子装飾品は花瓶などの装飾品に振動センサーを設けて地震などの振動により本体正面に取付けた照明用ＬＥＤが点灯するものである。
【０００９】
さらに、本考案の電子装飾品では、本体底面にも照明用ＬＥＤを設け、手で持った時には懐中電灯の代用にもなることを特徴とする。
【００１０】
さらに、本考案の電子装飾品において、電池からの電源供給について、前記の底面に照明用ＬＥＤをオン、オフする電源スイッチと、振動センサーの動作によりオン、オフさせるスイッチを独立にさせたことを特徴とする。
【考案の効果】
【００１１】
本考案の電子装飾品は、本体の正面上部につけた照明用ＬＥＤが、振動センサーが地震ななどによる揺れを検知したとき点灯し、非常灯として働くように考案している。
【００１２】
さらに、本体底面にはＬＥＤ照明をオン、オフする電源スイッチに連動して、照明用ＬＥＤが単独で点灯、消灯することができ、本体を手で持って懐中電灯としても使用できる。
【図面の簡単な説明】
【００１３】
【図１】電子装飾品の斜視図
【図２】電子装飾品に写真たてを装着した表面の図
【図３】写真たて裏面の図
【図４】電子装飾品の底面図
【図５】電子装飾品の内部部品配置図
【図６】電子装飾品の回路図
【考案を実施するための形態】
【００１４】
以下、本考案の電子装飾品の実施例を説明する。図１は電子装飾品の一例を示す斜視図であり、図２は図１の電子装飾品に写真たてを装着した表面図であり、図３は写真たての裏面図で、図４は電子装飾品の底面図で、図５は内部部品配置図である。図６は回路図である。
【００１５】
本考案の電子装飾品は、図１に示すように、装飾品本体１ａと、装飾品本体１ａの下部の台部１ｂで構成されており、台部１ｂには、底面照明用ＬＥＤ９、正面照明用ＬＥＤ１０、振動センサー５のセンサー回路２に供給するための電池１１を備えており、本体１ａと底板１ｃは、それぞれ例えばＡＢＳ樹脂などの硬質プラスチックで構成されており、内部の空間にセンサー回路２、振動センサー５、振動センサー切換えスイッチ６、転倒スイッチ７、電源スイッチ８、底面照明用ＬＥＤ９などが収納されている。
【００１６】
図１に示すように、成型品で出来た筒状の装飾品本体１ａの上面に正面照明用ＬＥＤ１０を設け、この正面照明用ＬＥＤ１０は、振動センサー５が地震などの振動を検知すると、正面照明用ＬＥＤ１０が点灯する回路構成で、この正面照明用ＬＥＤの点灯のための回路と、底面照明用ＬＥＤ９の点灯のための回路は、図６に示すように別々に独立してオン・オフできる回路になっている。
【００１７】
図４のように台部1bの裏には、底面照明用ＬＥＤ９があり、手で持って懐中電灯として使用できる。この場合は、正面照明用ＬＥＤ１０の光源は不要となり、振動センサー切換えスイッチ６をオフすることで電池の消耗を少なくするように考案している。
【００１８】
なお、転倒スイッチ７と電源スイッチ８を省略し、正面照明用ＬＥＤ１０と振動センサー５、振動センサー切換えスイッチ６のみの構成でもよく、夜間の非常時専用とすることができる。また、この考案の装飾品は、携帯電話入れや、ペン立てなどの小物要れとしても利用することができ、装飾品本体１ａと台部１ｂを分割して使用するなど上述の例に限定されるものではない。
【００１９】
本考案の電子装飾品は、図２で示すように装飾品本体１ａの外周部に脱着可能な写真たて３の横向き用引掛け部３ａまたは縦向き用引掛け部３ｂを装着し、写真スタンドとして使用できるように考案している。
【００２０】
つぎに、図６の回路図の詳細について説明する。電池１１は底面照明用ＬＥＤ９と正面照明用ＬＥＤ１０に供給するものであり、センサー回路２にも供給される。底面照明用ＬＥＤ９は電源スイッチ８と転倒スイッチ７とが直列に接続されており、通常電源スイッチ８はオンになっており転倒スイッチ７がオンになると底面照明用ＬＥＤ９が点灯する。正面照明用ＬＥＤ１０はセンサー回路２と直列につながっており、振動センサー切換えスイッチ６は通常オンになっており、振動センサー５が振動を検知すると正面照明用ＬＥＤ１０が点灯する。なお、装飾品本体１ａを手に持って懐中電灯として使用する場合には、振動センサー切換えスイッチ６をオフにすることにより振動センサー回路２には電流が流れず電池１１の消耗を少なくする。
【符号の説明】
【００２１】
１    装飾品
１ａ  装飾品本体
１ｂ  台部
１ｃ  底板
１ｆ  電池ケース蓋
２    センサー回路
３    写真たて
３ａ  横向き用引掛け部
３ｂ  縦向き用引掛け部
５    振動センサー
６    振動センサー切換えスイッチ
７    転倒スイッチ
８    電源スイッチ
９    底面照明用LED
１０  正面照明用LED
１１  電池
１２ａ  抵抗器
１２ｂ  抵抗器
【図１】
0003151804.tif 000003
【図２】
0003151804.tif 000004
【図３】
0003151804.tif 000005
【図４】
0003151804.tif 000006
【図５】
0003151804.tif 000007
【図６】
0003151804.tif 000008